(57)【要約】【課題】映像システムを多様な用途に適用するための映像表示装置と映像視聴用眼鏡との間の通信技術を提供することが課題である。【解決手段】映像表示装置と、映像の視聴に用いられる映像視聴用眼鏡とを備え、映像表示装置は、映像を時系列に表示する表示部と、同期信号を生成する同期信号生成部と、同期信号を送信する同期信号送信部とを有し、映像視聴用眼鏡は、視聴者の眼へ透過する光の量を調整する光学フィルタ部と、同期信号を受信する同期信号受信部と、ビット列を検出する動作を行ない、ビット列のパターンを解析して、光学フィルタ部の動作を制御するための制御データを生成する同期信号解析部と、制御データを用いて、光学フィルタ部を制御する光学フィルタ制御部を備えることを特徴とする映像システム。【選択図】図９
2011015216.tif 000002
【特許請求の範囲】
【請求項１】
映像を表示する映像表示装置と、
該映像表示装置が表示した映像の視聴に用いられる映像視聴用眼鏡と、を備え
前記映像表示装置は、
前記映像視聴用眼鏡を用いて視聴される映像を時系列に表示する表示部と、
前記映像のフレームに対応して、パルスの有無に応じてビットデータを伝送するための所定のビット列から構成される同期信号を生成する同期信号生成部と、
前記同期信号を送信する同期信号送信部と、を有し、
前記映像視聴用眼鏡は、
視聴者の眼へ透過する光の量を調整する光学フィルタ部と、
前記同期信号送信部から送信された前記同期信号を受信する同期信号受信部と、
前記同期信号受信部が受信した最初のパルスを検出したときから予め定められた検出時間を経過するまでの間、前記ビット列を検出する動作を行ない、前記ビット列のパターンを解析して、前記光学フィルタ部の動作を制御するための制御データを生成する同期信号解析部と、
前記制御データを用いて、前記光学フィルタ部を制御する光学フィルタ制御部と、を備えることを特徴とする映像システム。
【請求項２】
前記映像視聴用眼鏡が、前記制御データに割り当てられた前記光学フィルタ部に対する制御を記憶する記憶部を更に備え、
前記同期信号解析部が、前記同期信号と、前記記憶部に記憶された前記制御データに割り当てられた前記光学フィルタ部に対する制御とを比較することを特徴とする請求項１記載の映像システム。
【請求項３】
前記映像視聴用眼鏡は、複数の映像視聴用眼鏡を含み、
前記同期信号送信部は、前記複数の映像視聴用眼鏡それぞれの前記同期信号受信部に前記同期信号を送信し、
前記複数の映像視聴用眼鏡のうち一の映像視聴用眼鏡の前記同期信号受信部が受信する前記同期信号の前記ビット列が、他の映像視聴用眼鏡の前記同期信号受信部が受信する前記同期信号の前記ビット列と異なることを特徴とする請求項１又は２に記載の映像システム。
【請求項４】
前記映像表示装置は、複数の映像表示装置を含み、
該複数の映像表示装置それぞれの前記同期信号生成部が、互いに異なるビット列を有する前記同期信号を生成し、
前記映像視聴用眼鏡が更に、前記光学フィルタ制御部による制御を、前記複数の映像表示装置のうち一の映像表示装置が送信する前記同期信号から生成される前記制御データに基づく制御から、他の映像表示装置が送信する前記同期信号から生成される前記制御データに基づく制御に切り替えるスイッチを備えることを特徴とする請求項１又は２記載の映像システム。
【請求項５】
前記複数の映像表示装置それぞれが、前記同期信号送信部を制御して、該同期信号送信部に間欠式に複数の前記同期信号からなる同期信号群を送信させる送信制御部を更に備え、
前記複数の映像表示装置のうち一の映像表示装置の前記送信制御部は、他の映像表示装置からの前記同期信号の送信周期と異なる周期で前記同期信号群を送信するように前記同期信号送信部を制御することを特徴とする請求項４記載の映像システム。
【請求項６】
前記光学フィルタ部が、視聴者の左眼へ透過する光の量を調整する左眼用光学フィルタと、視聴者の右眼へ透過する光の量を調整する右眼用光学フィルタとを備え、
前記映像が、視聴者の左眼によって視認される左眼用の映像を含む左眼用のフレームと視聴者の右眼によって視認される右眼用の映像を含む右眼用のフレームとを含み、
前記同期信号生成部が、前記左眼用のフレームと前記右眼用のフレームそれぞれに対応して、互いに異なる前記ビット列を有する複数の同期信号を生成し、
前記同期信号解析部は、前記複数の同期信号のうち一の同期信号から一の制御データを生成するとともに他の同期信号から他の制御データを生成し、
前記光学フィルタ制御部は、前記一の制御データに基づき、前記左眼用光学フィルタ及び前記右眼用光学フィルタのうち少なくとも一方の光学フィルタに対して、前記光の量を調整させるとともに、前記他の制御データに基づき、他方の光学フィルタに対して、前記光の量を調整させることを特徴とする請求項１乃至４いずれか１項に記載の映像システム。
【請求項７】
前記映像が、前記左眼用のフレームと前記右眼用のフレームとを含む複数のフレームを含み、
前記光学フィルタ制御部は、前記複数のフレームのうち一のフレームと該一のフレームの直後に前記表示部に表示される映像を含む他のフレームとの切り替えがなされる以前に、前記一の制御データに基づき、前記少なくとも一方の光学フィルタに対して、前記光の量を減少させることを特徴とする請求項６記載の映像システム。
【請求項８】
前記左眼用フレームにおいて表示される映像と前記右眼用フレームにおいて表示される映像とが、視差の分だけ異なる内容を表現し、
前記ビット列が、視差量に関するデータを含むことを特徴とする請求項６に記載の映像システム。
【請求項９】
前記映像が、前記左眼用のフレームと前記右眼用のフレームとを含む複数のフレームを含み、
前記同期信号生成部が、前記複数のフレームの切り替え周期と同一の周期で前記同期信号を生成し、
前記映像視聴用眼鏡が、前記同期信号に基づき、内部同期信号を生成する同期信号生成部を備え、
前記光学フィルタ制御部は、前記内部同期信号に基づき、前記制御データを用いて前記光学フィルタ部を制御し、
前記内部同期信号生成部が、前記映像視聴用眼鏡が前記同期信号を受信しない間、前記同期信号受信部、該同期信号受信部が受信した前記同期信号を電気信号として検出する同期信号検出部、前記同期信号解析部及び前記記憶部のうち少なくとも１つへの電力供給を遮断することを特徴とする請求項２に記載の映像システム。
【請求項１０】
前記映像は、視聴者の左眼によって視認される左眼用の映像を含む複数の左眼用のフレームと、視聴者の右眼によって視認される右眼用の映像を含む複数の右眼用のフレームとを含み、
前記同期信号解析部は、前記複数の左眼用フレーム及び前記複数の右眼用フレームそれぞれの前記ビット列を受信する時間間隔及び前記制御データを前記記憶部に記憶させるとともに、前記左眼用のフレーム及び前記右眼用のフレームごとに前記制御データ及び前記ビット列を受信する時間間隔をそれぞれ比較することを特徴とする請求項２記載の映像システム。
【請求項１１】
前記同期信号解析部は、所定のビット列以外のビット列をノイズとして除去することを特徴とする請求項９記載の映像システム。
【請求項１２】
前記同期信号解析部は、一の前記制御データが得られた時間において、該一の制御データと同一の制御データが所定数以下であるとき、前記一の制御データをノイズデータとして除去することを特徴とする請求項１０記載の映像システム。
【請求項１３】
前記ビット列が、前記映像表示装置と前記映像視聴用眼鏡間の送受信のエラーをチェックするためのパルスを含むことを特徴とする請求項１乃至１２いずれか１項に記載の映像システム。
【請求項１４】
前記ビット列が、前記光学フィルタ部の前記光の量を調整するタイミングに関する情報を含むことを特徴とする請求項１乃至１３いずれか１項に記載の映像システム。
【請求項１５】
前記映像視聴用眼鏡を用いて視聴される映像を時系列に表示する表示部と、
前記映像のフレームに対応して、パルスの有無に応じてビットデータを伝送するための所定のビット列から構成される同期信号を生成する同期信号生成部と、
前記同期信号を送信する同期信号送信部と、を有することを特徴とする映像表示装置。
【請求項１６】
視聴者の眼へ透過する光の量を調整する光学フィルタ部と、
外部から送信される前記同期信号を受信する同期信号受信部と、
前記同期信号受信部が受信した最初のパルスを検出したときから予め定められた検出時間を経過するまでの間、前記ビット列を検出する動作を行ない、前記ビット列のパターンを解析して、前記光学フィルタ部の動作を制御するための制御データを生成する同期信号解析部と、
前記制御データを用いて、前記光学フィルタ部を制御する光学フィルタ制御部と、を備えることを特徴とする映像視聴用眼鏡。
【発明の詳細な説明】
【技術分野】
【０００１】
映像を表示する映像表示装置と、映像表示装置に表示された映像の視聴に用いられる映像視聴用眼鏡とを備える映像システム並びにこの映像システムに用いられる映像表示装置及び映像視聴用眼鏡に関する。
【背景技術】
【０００２】
映像を表示する映像表示装置と、映像表示装置に表示された映像の視聴に用いられる映像視聴用眼鏡とを備える映像システムは、例えば、立体映像を視聴するために用いられている。特許文献１及び特許文献２は、このような映像システムの一例を開示している。
【０００３】
特許文献１及び特許文献２は、映像表示装置と映像視聴用眼鏡間の通信技術を開示する。特許文献１は、映像表示装置と映像視聴用眼鏡間の一時的な通信不通に係る不都合を解消するために、映像視聴用眼鏡内部で同期信号を生成する技術を開示する。特許文献２は、映像表示装置により映し出される映像のタイミングと映像視聴用眼鏡のシャッタの開閉のタイミングを調整し、よりよい映像の視聴を可能とする技術を開示する。
【先行技術文献】
【特許文献】
【０００４】
【特許文献１】特開平１１−９８５３８号公報
【特許文献２】特開２０００−３６９６９号公報
【発明の概要】
【発明が解決しようとする課題】
【０００５】
上述の如く、映像を表示する映像表示装置と、映像表示装置に表示された映像の視聴に用いられる映像視聴用眼鏡とを備える映像システムの普及に伴い、映像表示装置と映像視聴用眼鏡との間の通信に関して、様々な提案がなされている。しかしながら、これまでのところ、映像システムを多様な用途に適用するための技術は開発されていない。例えば、特許文献１及び特許文献２の開示技術を用いて、複数の視聴者が異なる映像視聴用眼鏡で、１つの映像表示装置の映像を視聴するならば、混信を生じ、複数の視聴者全てが映像を好適に視聴することができない可能性がある。また、１名の視聴者が複数の映像表示装置の映像を視聴するときも、同様に混信によって、好適な映像の視聴ができない可能性がある。
【０００６】
映像表示装置上に二次元的に表現された映像は、立体映像を視聴する視聴者に対して、視聴者の眼前に映像に表示された物が立体的に飛び出てくるような知覚を与えるが、飛び出し量が大きすぎると視聴者によっては不愉快に感じることがある。特許文献１及び特許文献２に開示される技術は、このような不都合を解消するものでもない。
【０００７】
上記実情を鑑みて、本発明は、映像システムを多様な用途に適用するための映像表示装置と映像視聴用眼鏡との間の通信技術を提供することを目的とする。
【課題を解決するための手段】
【０００８】
本発明の一の局面に係る映像システムは、映像を表示する映像表示装置と、該映像表示装置が表示した映像の視聴に用いられる映像視聴用眼鏡とを備え、前記映像表示装置は、前記映像視聴用眼鏡を用いて視聴される映像を時系列に表示する表示部と、前記映像のフレームに対応して、パルスの有無に応じてビットデータを伝送するための所定のビット列から構成される同期信号を生成する同期信号生成部と、前記同期信号を送信する同期信号送信部とを有し、前記映像視聴用眼鏡は、視聴者の眼へ透過する光の量を調整する光学フィルタ部と、前記同期信号送信部から送信された前記同期信号を受信する同期信号受信部と、前記同期信号受信部が受信した最初のパルスを検出したときから予め定められた検出時間を経過するまでの間、前記ビット列を検出する動作を行ない、前記ビット列のパターンを解析して、前記光学フィルタ部の動作を制御するための制御データを生成する同期信号解析部と、前記制御データを用いて、前記光学フィルタ部を制御する光学フィルタ制御部とを備えることを特徴とする（請求項１）。
【０００９】
この構成によれば、制御データに応じて、映像視聴用眼鏡が多様な動作を実行することができ、映像システムを多様な用途に使用することが可能となる。
【００１０】
上記構成において、前記映像視聴用眼鏡が、前記制御データに割り当てられた前記光学フィルタ部に対する制御を記憶する記憶部を更に備え、前記同期信号解析部が、前記同期信号と、前記記憶部に記憶された前記制御データに割り当てられた前記光学フィルタ部に対する制御とを比較することができることが好ましい（請求項２）。これにより、光学フィルタ制御部は、制御データに応じて様々な動作を実行することができる。
【００１１】
上記構成において、前記映像視聴用眼鏡は、複数の映像視聴用眼鏡を含み、前記同期信号送信部は、前記複数の映像視聴用眼鏡それぞれの前記同期信号受信部に前記同期信号を送信し、前記複数の映像視聴用眼鏡のうち一の映像視聴用眼鏡の前記同期信号受信部が受信する前記同期信号の前記ビット列が、他の映像視聴用眼鏡の前記同期信号受信部が受信する前記同期信号の前記ビット列と異なるものとすることができる（請求項３）。この構成によれば、１つの映像表示装置が表示する映像を、複数の視聴者が視聴することができ、この視聴の間、混信を生ずることがない。
【００１２】
上記構成において、前記映像表示装置は、複数の映像表示装置を含み、該複数の映像表示装置それぞれの前記同期信号生成部が、互いに異なるビット列を有する前記同期信号を生成し、前記映像視聴用眼鏡が更に、前記光学フィルタ制御部による制御を、前記複数の映像表示装置のうち一の映像表示装置が送信する前記同期信号から生成される前記制御データに基づく制御から、他の映像表示装置が送信する前記同期信号から生成される前記制御データに基づく制御に切り替えるスイッチを備えることができる（請求項４）。これにより、複数の映像表示装置に表示される映像を１つの映像視聴用眼鏡を通じて視聴しても、混信の問題を招来することがなく、視聴者はスイッチを切り替えることにより、複数の映像表示装置の中から所望の映像を映し出す映像表示装置を選択して、所望の映像を視聴することができる。この構成において、前記複数の映像表示装置それぞれが、前記同期信号送信部を制御して、該同期信号送信部に間欠式に複数の前記同期信号からなる同期信号群を送信させる送信制御部を更に備え、前記複数の映像表示装置のうち一の映像表示装置の前記送信制御部は、他の映像表示装置からの前記同期信号の送信周期と異なる周期で前記同期信号群を送信するように前記同期信号送信部を制御することが好ましい（請求項５）。これにより、複数の映像表示装置間での信号の干渉を回避することができ、映像表示装置と映像視聴用眼鏡との間での通信不良を回避可能となる。また、赤外線の発光時間を減らすことができるので、赤外線ＬＥＤ等の発光素子に多くの電流を流すことができ、赤外線を遠くまで飛ばすことが可能となる。
【００１３】
上記構成において、前記光学フィルタ部が、視聴者の左眼へ透過する光の量を調整する左眼用光学フィルタと、視聴者の右眼へ透過する光の量を調整する右眼用光学フィルタとを備え、前記映像が、視聴者の左眼によって視認される左眼用の映像を含む左眼用のフレームと視聴者の右眼によって視認される右眼用の映像を含む右眼用のフレームとを含み、前記同期信号生成部が、前記左眼用のフレームと前記右眼用のフレームそれぞれに対応して、互いに異なる前記ビット列を有する複数の同期信号を生成し、前記同期信号解析部は、前記複数の同期信号のうち一の同期信号から一の制御データを生成するとともに他の同期信号から他の制御データを生成し、前記光学フィルタ制御部は、前記一の制御データに基づき、前記左眼用光学フィルタ及び前記右眼用光学フィルタのうち少なくとも一方の光学フィルタに対して、前記光の量を調整させるとともに前記他の制御データに基づき、他方の光学フィルタに対して、前記光の量を調整させることができる（請求項６）。この構成において、前記映像が、前記左眼用のフレームと前記右眼用のフレームとを含む複数のフレームを含み、前記光学フィルタ制御部は、前記複数のフレームのうち一のフレームと該一のフレームの直後に前記表示部に表示される映像を含む他のフレームとの切り替えがなされる以前に、前記一の制御データに基づき、前記少なくとも一方の光学フィルタに対して、前記光の量を減少させることができる（請求項７）。これにより、例えば、映像表示装置がプラズマディスプレイパネル（ＰＤＰ：Plasma Display Panel）である場合には、前のフレームの映像の残光に起因する後のフレームの映像の視聴に対する悪影響を回避することが可能となる。
【００１４】
上記構成において、前記左眼用フレームにおいて表示される映像と前記右眼用フレームにおいて表示される映像とが、視差の分だけ異なる内容を表現し、前記ビット列が、視差量に関するデータを含むことができる（請求項８）。これにより、視差量に応じて、光学フィルタ部に対して様々な動作を与えることが可能となる。
【００１５】
上記構成において、前記映像が、前記左眼用のフレームと前記右眼用のフレームとを含む複数のフレームを含み、前記同期信号生成部が、前記複数のフレームの切り替え周期と同一の周期で前記同期信号を生成し、前記映像視聴用眼鏡が、前記同期信号に基づき、内部同期信号を生成する同期信号生成部を備え、前記光学フィルタ制御部は、前記内部同期信号に基づき、前記制御データを用いて前記光学フィルタ部を制御し、前記内部同期信号生成部が、前記映像視聴用眼鏡が前記同期信号を受信しない間、前記同期信号受信部、該同期信号受信部が受信した前記同期信号を電気信号として検出する同期信号検出部、前記同期信号解析部及び前記記憶部のうち少なくとも１つへの電力供給を遮断することができる（請求項９）。これにより、映像視聴用眼鏡が同期信号を受けるために同期信号受信用の回路へ電力を供給する時間を低減させることができる。
【００１６】
上記構成において、前記映像は、視聴者の左眼によって視認される左眼用の映像を含む複数の左眼用のフレームと、視聴者の右眼によって視認される右眼用の映像を含む複数の右眼用のフレームとを含み、前記同期信号解析部は、前記複数の左眼用フレーム及び前記複数の右眼用フレームそれぞれの前記ビット列を受信する時間間隔及び前記制御データを前記記憶部に記憶させるとともに、前記左眼用のフレーム及び前記右眼用のフレームごとに前記制御データ及び前記ビット列を受信する時間間隔をそれぞれ比較することができる（請求項１０）。これにより、同期信号生成部が生成した同期信号のパルスと、ノイズに起因するパルスとを識別することが可能となる。また、リーダ・トレーラ等のビット列の開始信号・終了信号の送信なくして、ノイズと真の同期信号との区別が可能となる。この構成において、前記同期信号解析部は、所定のビット列以外のビット列をノイズとして除去することができる（請求項１１）。これにより、予定外のパターンを有する信号をノイズとして除去し、映像視聴用眼鏡の誤動作を防ぐことが可能となる。この構成において、前記同期信号解析部は、一の前記制御データが得られた時間において、該一の制御データと同一の制御データが所定数以下であるとき、前記一の制御データをノイズデータとして除去することができる（請求項１２）。これにより、確実にノイズを除去することが可能となる。
【００１７】
上記構成において、前記ビット列が、前記映像表示装置と前記映像視聴用眼鏡間の送受信のエラーをチェックするためのパルスを含むことができる（請求項１３）。これにより、前記映像表示装置と前記映像視聴用眼鏡間の送受信のエラーをチェックすることができ、安定した送受信を提供することが可能となる。
【００１８】
上記構成において、前記ビット列が、前記光学フィルタ部の前記光の量を調整するタイミングに関する情報を含むことができる（請求項１４）。これにより、前記光学フィルタ部の開閉のタイミングを自在に制御することが可能となる。これにより、同期信号生成部により生成された同期信号のみに基づき、映像視聴用眼鏡を動作させることができる。
【００１９】
本発明の一の局面に係る映像表示装置は、前記映像視聴用眼鏡を用いて視聴される映像を時系列に表示する表示部と、前記映像のフレームに対応して、パルスの有無に応じてビットデータを伝送するための所定のビット列から構成される同期信号を生成する同期信号生成部と、前記同期信号を送信する同期信号送信部とを有することを特徴とする（請求項１５）。
【００２０】
上記構成によれば、ビット列に応じた動作を外部装置に与えることが可能となる。
【００２１】
本発明の一の局面に係る映像視聴用眼鏡は、視聴者の眼へ透過する光の量を調整する光学フィルタ部と、外部から送信される前記同期信号を受信する同期信号受信部と、前記同期信号受信部が受信した最初のパルスを検出したときから予め定められた検出時間を経過するまでの間、前記ビット列を検出する動作を行ない、前記ビット列のパターンを解析して、前記光学フィルタ部の動作を制御するための制御データを生成する同期信号解析部と、前記制御データを用いて、前記光学フィルタ部を制御する光学フィルタ制御部と、を備えることを特徴とする（請求項１６）。
【００２２】
上記構成によれば、ビット列に応じて、光学フィルタ部を制御することが可能となる。
【発明の効果】
【００２３】
上述の如く、本発明に係る映像システムは、多様な用途に使用することができるとともに視聴者に好適な映像を提供することができる。
【図面の簡単な説明】
【００２４】
【図１】本発明の一実施形態に係る映像システムの概略構成図である。
【図２】図１に示される映像システムに用いられる映像表示装置と映像視聴用眼鏡のハードウェア構成を示す。
【図３】図１に示される映像システムに用いられる映像表示装置の機能構成図である。
【図４】図１に示される映像システムに用いられる映像視聴用眼鏡の機能構成図である。
【図５】図１に示される映像システムの制御の一例を説明する図である。
【図６】図１に示される映像システムに用いられる映像表示装置が表示する左眼用の映像と右眼用映像との間の視差量を説明する図である。
【図７】図１に示される映像システムに用いられる映像表示装置と映像視聴用眼鏡との間で送受信される同期信号のビット列のパターンの一覧を示す図である。
【図８】図７に示されるビット列と制御データの関係を説明する図である。
【図９】図８に示される制御データを生成する工程を説明するフローチャートである。
【図１０】図７に示されるビット列に対して予め割り当てられる制御の例を説明する図である。
【図１１】図１に示される映像システムに用いられる映像表示装置と映像視聴用眼鏡との間の送受信回数を低減させるための制御の一例を説明する図である。
【図１２】図１に示される映像システムに用いられる映像表示装置と映像視聴用眼鏡との間で送受信される同期信号のビット列のパルスに割り当てられる制御の一例を示す。
【図１３】図６において説明される視差量に基づく制御の一例を説明する図である。
【図１４】本発明の一実施形態に係る１つの映像表示装置と複数の映像視聴用眼鏡を含む映像システムの概略構成図である。
【図１５】図１４に示される映像視聴用眼鏡が受信する同期信号のビット列の組の一例を示す図である。
【図１６】図１４に示される映像システムの制御の一例を説明する図である。
【図１７】本発明の一実施形態に係る複数の映像表示装置と１つの映像視聴用眼鏡を含む映像システムの概略構成図である。
【図１８】図１７に示される映像表示装置が送信する同期信号のビット列の組の一例を示す図である。
【図１９】図１７に示される映像表示装置の間欠式の送信パターンを説明する図である。
【図２０】ノイズ信号が混在した同期信号の一例を説明する図である。
【図２１】図２０に示されるノイズ信号を除去するための工程を説明するフローチャートである。
【図２２】図２１に示されるフローチャート中のビット列抽出工程を説明する概念図である。
【図２３】図２２で説明されたビット列抽出工程によりノイズを除去された後の光学フィルタ部に対する制御を説明する図である。
【発明を実施するための形態】
【００２５】
以下、本発明の一実施形態に係る映像システムについて図面を参照して説明する。尚、図面に示される構成、配置或いは形状等並びに図面に関連する記載は、単に本発明の原理を容易に理解させることを目的とするものであり、本発明を何ら限定するものではない。以下の説明で用いられる「ビット列」との用語は、１ビットのデータに対応するパルスを複数集合させてなるパルスの列を意味する。以下の説明で用いられる「制御データ」との用語は、ビット列をコンピュータ或いはこれに類するデバイスが可読の形式にビット列を変換したデータを意味する。
【００２６】
図１は、本発明の一実施形態に係る映像表示システムの概略構成図である。映像表示システム１は、映像表示装置１００と、映像表示装置１００が表示する映像の視聴に用いられる映像視聴用眼鏡１２０とを備える。図１に例示される映像表示装置１００は、矩形のディスプレイパネル２０６と、ディスプレイパネル２０６の周縁を取り囲むとともにディスプレイパネル２０６とともに映像表示装置１００の周面を形成する筐体１０２と、筐体１０２の上縁に配設される同期信号送信部１１０を含む。映像視聴用眼鏡１２０は、視力矯正用の眼鏡と略同様の形状を有する。映像視聴用眼鏡１２０は、視聴者が映像視聴用眼鏡１２０を装着したときに視聴者の左眼前に配置される左眼用光学フィルタ１２１と、視聴者の右眼前に配置される右眼用光学フィルタ１２２と、左眼用光学フィルタ１２１と右眼用光学フィルタ１２２との間に位置する同期信号受信部１３０を含む。右眼用光学フィルタ１２２及び左眼用光学フィルタ１２１は、光学フィルタ部１２３を構成する。
【００２７】
図２は、映像表示装置１００と映像視聴用眼鏡１２０のハードウェア構成を示す。映像表示装置１００は、復号ＩＣ２００と、映像信号処理ＩＣ２０１、送信制御ＩＣ２０２、ＣＰＵ２０３、メモリ２０４、クロック２０５、ディスプレイパネル２０６及び赤外線発光素子２０７を備える。
【００２８】
復号ＩＣ２００は、外部から入力される符号化された映像信号を復号化して映像データを所定の様式で出力する。映像の符号化には、ＭＰＥＧ（Motion Picture Experts Group）−２、ＭＰＥＧ−４やＨ２６４等の方式がある。符号化された映像信号は、映像表示装置の種類（例えば、ＣＲＴを用いた装置、ＬＣＤ等の液晶素子を用いた装置、有機エレクトロルミネッセンスを用いた装置やＰＤＰ等）により相違する。
【００２９】
映像信号処理ＩＣ２０１は、映像表示に関する信号処理（例えば、立体映像表示に関する信号処理）を実行する。映像処理装置１００が立体映像を表示する場合には、映像信号処理ＩＣ２０１は、映像信号の処理を実行し、復号ＩＣ２００からの映像データを立体映像として表示する。特定の実施形態において、映像信号処理ＩＣ２０１は、復号ＩＣ２００で復号された映像データから左眼用の映像と右眼用の映像を検出し、検出された左眼用の映像と右眼用の映像が時間的に交互に表示される。他の特定の実施例において、復号ＩＣ２００が出力した映像データから左眼用と右眼用の映像が自動的に生成され、映像信号処理ＩＣ２０１は、生成された左眼用と右眼用の映像をディスプレイパネル２０６に出力する。立体映像の表示に関わる信号処理を行なった後、映像信号処理ＩＣ２０１は、ディスプレイパネル２０６の信号入力方式に適合した出力信号を生成する。
【００３０】
尚、映像信号処理ＩＣ２０１は、上記の処理以外の処理を実行してもよい。例えば、ディスプレイパネル２０６の特性に応じて、表示する映像の色彩を調整する処理や復号ＩＣ２００で生成された映像データのフレーム間の映像を補間することにより、映像のフレームレートを上げる等の処理を、映像信号処理ＩＣ２０１は更に実行することができる。
【００３１】
送信制御ＩＣ２０２は、映像信号処理ＩＣ２０１が生成した左眼用及び右眼用の映像と同期する同期信号を生成し、生成された同期信号を赤外線発光素子２０７へ出力する。
【００３２】
ＣＰＵ２０３は、映像表示装置１００全体を制御する。ＣＰＵ２０３は、映像表示装置１００を構成する構成部（例えば、復号ＩＣ２００や映像信号処理ＩＣ２０１等）を制御することにより、映像表示装置１００全体の制御を司る。ＣＰＵ２０３は、メモリ２０４に記録されたプログラム及び外部からの入力（図示せず）等に従って上記の制御を行う。
【００３３】
メモリ２０４は、ＣＰＵ２０３が実行するプログラムやプログラム実行時に発生する一時データを記録する領域として利用される。メモリ２０４として、例えば、揮発性のＲＡＭ（Random Access Memory）や不揮発性のＲＯＭ（Read Only Memory）を利用することができる。
【００３４】
クロック２０５は、ＣＰＵ２０３等や他の構成部品へ各ＩＣ等の動作基準となるクロック信号を供給する。
【００３５】
ディスプレイパネル２０６は、表示面を備える。表示面には、映像信号処理ＩＣから出力された映像信号が表示される。ディスプレイパネル２０６には、従来からのＣＲＴ方式や、それ以外にも液晶素子を用いたＬＣＤ、その他ＰＤＰや有機エレクトロルミネッセンスを用いたもの等各種の表示方式を適用可能である。
【００３６】
赤外線発光素子２０７は、送信制御ＩＣ２０２による制御の下、同期信号を外部へ赤外線を用いて出力する。
【００３７】
尚、本実施例において、赤外線を用いて映像表示装置１００と映像視聴用眼鏡１２０との間の同期が図られるが、本発明は、これに限定されるものではない。有線信号、無線信号、超音波等や他の伝達手段を用いて、映像表示装置１００と映像視聴用眼鏡１２０との間の同期が図られてもよい。
【００３８】
映像視聴用眼鏡１２０は、ＣＰＵ２２０、メモリ２２１、クロック２２２、赤外線受光素子２２３及び光学フィルタ２２４を備える。
【００３９】
ＣＰＵ２２０は、映像視聴用眼鏡１２０全体を制御する。ＣＰＵ２２０は、メモリ２２１等に記録されたプログラムや外部からの入力（図示せず）に従って映像視聴用眼鏡１２０を制御する。
【００４０】
メモリ２２１は、ＣＰＵ２２０が実行するプログラムのデータの記録や、プログラム実行時の一時データを保持する場所として用いられる。
【００４１】
クロック２２２は、映像視聴用眼鏡１２０を構成する他のＩＣ等へ、動作の基準となるクロック信号を供給する。クロック信号は、必要に応じて分周、逓倍したものであってもよい。
【００４２】
赤外線受光素子２２３は、映像表示装置１００が赤外線発光素子２０７から送信した同期信号を受信するための受光部分である。
【００４３】
光学フィルタ部１２３は、上述の如く、左眼用光学フィルタ１２１と右眼用光学フィルタ１２２を備える。光学フィルタ部１２３は、ＣＰＵ２２０の制御の下、左眼に対する動作と右眼に対する動作を適切に行うことで、眼鏡の着用者に所望の光学的効果を生じさせる。
【００４４】
図２に示すハードウェア構成は一例に過ぎず、本発明は、これに限定されるものではない。例えば、復号ＩＣ２００や映像信号処理ＩＣ２０１等の複数のＩＣが、一体化されたＩＣを用いて、ハードウェアが構成されてもよい。また、ＣＰＵ２０３が実行するプログラムの処理をＰＬＤ（Programmable Logic Device）等を用いて実現してもよい。
【００４５】
図３は、映像表示装置１００の機能構成図を示す。映像表示装置１００は、映像復号部３００、Ｌ／Ｒ信号分離部３０１、立体信号処理部３０２、映像表示部３０３、同期信号生成部３０４、送信制御部３０５及び同期信号送信部３０６を備える。
【００４６】
映像復号部３００は、外部から入力される符号化された映像信号を復号する。図２に示されるハードウェア構成においては、映像復号部３００は、復号ＩＣ２００に該当する。
【００４７】
Ｌ／Ｒ信号分離部３０１は、映像復号部３００が復号した映像信号から左眼用と右眼用の映像信号を生成若しくは分離する。
【００４８】
立体信号処理部３０２は、映像視聴用眼鏡１２０を通じて視認される映像を表示する映像表示部３０３の特性等に応じて、Ｌ／Ｒ信号分離部３０１で分離された左眼用及び右眼用の映像信号を調整する。例えば、映像表示部３０３（ディスプレイパネル２０６）の表示面の大きさに応じて、左眼用と右眼用の映像の視差を調整する処理等を、立体信号処理部３０２は実行する。
【００４９】
同期信号生成部３０４は、Ｌ／Ｒ信号分離部３０１が生成した左眼用及び右眼用の映像と同期した同期信号を生成する。この際、映像表示部３０３の特性等に応じて、生成される同期信号の種類や生成タイミングが調整される。
【００５０】
Ｌ／Ｒ信号分離部３０１、立体信号処理部３０２並びに同期信号生成部３０４は、図２に示されるハードウェア構成において、映像信号処理ＩＣ２０１に該当する。
【００５１】
映像表示部３０３は、立体信号処理部３０２によって処理された映像信号を映像として表示する。図２に示されるハードウェア構成において、映像表示部３０３は、ディスプレイパネル２０６に該当する。
【００５２】
同期信号送信部３０６は、送信制御部３０５の下で、同期信号生成部３０４で生成された同期信号を外部へ送信する。同期信号送信部３０６は、図２に示されるハードウェア構成において、赤外線発光素子２０７に該当する。
【００５３】
送信制御部３０５は、送信される同期信号のデータ量や、その送信間隔等を制御する。送信制御部３０５は、図２に示されるハードウェア構成において、送信制御ＩＣ２０２に該当する。
【００５４】
図４は、映像視聴用眼鏡１２０の機能構成図を示す。映像視聴用眼鏡１２０は、外部同期信号受信部４００、同期信号検出部４０１、同期信号解析部４０２、同期情報記憶部４０３、内部同期信号生成部４０４、光学フィルタ制御部（制御部）４０５及び光学フィルタ部１２３を備える。
【００５５】
外部同期信号受信部４００は、映像表示装置１００から赤外線で送信された同期信号を受信する。受光した赤外線に応じて、電気信号を同期信号検出部４０１へ出力する。図２に示されるハードウェア構成においては、外部同期信号受信部４００は、赤外線受光素子２２３に該当する。
【００５６】
同期信号検出部４０１は、外部同期信号受信部４００が受信した赤外線から生成した同期信号（電気信号）を検出する。同期信号は、所定の電気波形を持つ信号として検出される。
【００５７】
同期信号解析部４０２は、同期信号検出部４０１が検出した同期信号を構成するビット列に基づいて、光学フィルタ部１２３を動作させるために用いられる時間間隔等の情報を解析する。光学フィルタ部１２３を動作させるための情報とは、例えば、左眼用と右眼用のフィルタの開閉タイミングの情報等を意味する。
【００５８】
同期信号検出部４０１及び同期信号解析部４０２は、図２に示されるハードウェア構成において、ＣＰＵ２２０が実行するプログラムの一部に該当する。
【００５９】
同期情報記憶部４０３は、同期信号解析部４０２が同期信号に基づいて解析した光学フィルタ部４０６の動作内容に関する制御情報を記録・保持する。図２に示されるハードウェア構成において、同期情報記憶部４０３は、メモリ２２１に該当する。ＣＰＵ２２０が制御情報をメモリ２２１に記録する。同期信号解析部４０２は、同期情報記憶部４０３に記憶された制御情報を同期信号記憶部４０３から読み出すとともに、同期信号検出部４０１を介して伝送された同期信号のビット列と、制御情報に含まれるビット列に割り当てられた制御内容とを比較する。
【００６０】
内部同期信号生成部４０４は、同期情報記憶部４０３に記録された同期情報、又は、同期信号解析部４０２が解析した同期情報に基づいて、映像視聴用眼鏡１２０内部で同期信号を生成する。内部同期信号生成部４０４は、図２に示されるハードウェア構成において、ＣＰＵ２２０とクロック２２２に該当する。
【００６１】
光学フィルタ制御部４０５は、映像視聴用眼鏡１２０の左眼用及び右眼用に設けられている光学フィルタ部１２３の動作制御（例えば、左眼用光学フィルタ１２１及び／又は右眼用光学フィルタ１２２を透過する光の量を調整する等の制御）を行なう。光学フィルタ制御部４０５は、図２に示されるハードウェア構成において、ＣＰＵ２２０が実行する光学フィルタ制御用のプログラムに該当する。
【００６２】
光学フィルタ部１２３が備える左眼用光学フィルタ１２１及び／又は右眼用光学フィルタ１２２には、透過する光の量を調整するフィルタや、透過する光の偏向を調整するフィルタ等の様々な種類が含まれる。また、左眼用光学フィルタ１２１及び／又は右眼用光学フィルタ１２２には、液晶素子を用いるとともにこの液晶素子を制御することで、透過する光の量を調整するフィルタ等も含まれる。
【００６３】
本発明は、図３及び図４に示される機能構成に限定されるものではない。例えば、図３及び図４に関連する説明では、同期信号送信部３０６及び映像表示部３０３が１つの映像表示装置１００に包含されていたが、これらがそれぞれ別の装置に含まれるものであってもよい。
【００６４】
また、図２乃至図４で示されたハードウェア構成と機能構成の対応関係は、本実施例の説明のために用いる具体例としての対応関係に過ぎず、本発明は、これに限定されるものではない。他のハードウェア構成並びに他の機能構成が本発明に適用されてもよい。
【００６５】
図５は、映像表示装置１００が立体映像を表示するときの光学フィルタ部１２３に対する制御の一例を示す図である。図５（Ａ）に示されるように、映像表示部３０３は、左眼によって視認されることを予定された映像を映し出す左眼フレームの映像の後に、右眼によって視認されることを予定された映像を映し出す右眼フレームの映像を映し出している。
【００６６】
図６は、図５に示される左眼フレームにおいてディスプレイパネル２０６に表示される映像と右眼フレームにおいてディスプレイパネル２０６に表示される映像の一例を示す。図６において上側に示されるディスプレイパネル２０６には、左眼フレームの映像が示され、下側に示されるディスプレイパネル２０６には、右眼フレームの映像が示されている。両フレームにおいて表示されている物Ａは、同一の物であるが、ディスプレイパネル２０６上での表示位置がわずかに異なっていることが分かる。この表示位置の相違が視差による相違である。尚、図６に示される物Ａは、説明を容易にするために円形で示され、形状的な差異は左眼フレームと右眼フレームとの間で認められないが、物Ａの形状によっては、左眼フレームにおいて表示される物と右眼フレームにおいて表示される物の形状も視差の分だけ異なるものとなる。視差量に対する定義を、一例として、上側に示されるディスプレイパネル２０６の物Ａの中心点Ｃと、下側に示されるディスプレイパネル２０６の物Ａの中心点Ｃとの位置差とすることもできるが、左眼で視認されることを予定された映像と右眼で視認されることを予定された映像との間の差に関する他の定量値を視差量の定義として当て嵌めることも可能である。
【００６７】
再度、図５を参照する。図５（Ｂ）は、左眼フレームに対応する２つの同期信号５００及び右眼フレームに対応する２つの同期信号５００が存在していることを示している。図５（Ｄ）は、左眼用光学フィルタ１２１を透過した光の量を示し、図５（Ｅ）は、右側光学フィルタ１２２を透過した光の量を示す。図５（Ｂ）、図５（Ｄ）及び図５（Ｅ）を参照すると、最初の同期信号５００に応じて、左眼用光学フィルタ１２１が開き、視聴者の左眼へ透過する光の量が増加している。次の同期信号５００に応じて光学フィルタ１２１が閉じ、左眼へ透過する光の量を減少させている。３番目に送信された同期信号５００に応じて、右眼用光学フィルタ１２２が開き、右眼へ透過する光の量が増加している。最後に送信された同期信号５００に応じて右眼用光学フィルタ１２２が閉じ、右眼に透過する光の量を減少させている。尚、図５に示す例では、各同期信号５００と光学フィルタ１２１との関係を明瞭化するため、各同期信号５００と同時に左眼用光学フィルタ１２１及び／又は右眼用光学フィルタ１２２が開いている又は閉じているように示されているが、同期信号５００に対して遅れて左眼用光学フィルタ１２１及び／又は右眼用光学フィルタ１２２が動作することも可能である。
【００６８】
図５（Ｃ）は、映像表示部３０３にプラズマディスプレイパネルを使用したときの発光量を示す。棒グラフとして示される発光量は、映像表示部３０３が各サブフィールドにおいて得ようとしている発光量であり、曲線で示される発光量は、映像表示部３０３を構成する総画素の発光量の時間変化を示す。図５（Ｃ）は、各サブフィールドの発光量に対して、映像表示部３０３の発光は少し遅れることを示している。この遅れは、各画素に封入等されている蛍光体の発光時の応答特性や消光時の残光特性に起因する。図５（Ｃ）を参照すると、この遅れに起因して、左眼フレームにおいて生じた映像光の残光が、右眼フレームにはみ出していることが分かる。図５（Ｄ）及び図５（Ｅ）を参照すると、左眼用光学フィルタ１２１は、左眼フレームにおけるサブフィールド発光が完了すると同時（左眼フレームと右眼フレームが切り替えられる以前）に閉められるように制御され、右眼用光学フィルタ１２２は、左眼フレームからの残光が十分低減した後、開くように制御されていることが分かる。尚、以下の説明において、「左眼用光学フィルタ１２１、右眼用光学フィルタ部１２２及び／又は光学フィルタ部１２３が開く」との文言並びにこれに類する文言が用いられるが、この文言は、左眼用光学フィルタ１２１、右眼用光学フィルタ部１２２及び／又は光学フィルタ部１２３を通じて、視聴者の左眼及び／又は右眼に到達する光の量が増大することを意味する。また、「左眼用光学フィルタ１２１、右眼用光学フィルタ部１２２及び／又は光学フィルタ部１２３が閉じる」との文言並びにこれに類する文言が用いられるが、この文言は、左眼用光学フィルタ１２１、右眼用光学フィルタ部１２２及び／又は光学フィルタ部１２３を通じて、視聴者の左眼及び／又は右眼に到達する光の量が減少することを意味する。
【００６９】
図７は、同期信号５００の様々な信号波形を示す。同期信号５００は、少なくとも１つのパルスを有するビット列を含む。図７に示される実施形態では、ビット列は、最大５つのパルスを含むことができるが、ビット列に含まれるパルス数は、図７に示される実施形態に限定されるものではない。図７中実線で示される波形は、パルスが存在していることを示し、点線で示される波形はパルスが存在していないことを示す。図７に示されるビット列Ｐ０乃至Ｐ１５のビット列のパターンは互いに異なり、本実施形態では、同期信号生成部３０４は、図７に示されるいずれのパターンのビット列を有する同期信号５００を生成することができる。尚、ある特定の実施形態では、同期信号生成部３０４が生成する同期信号のビット列のパターンは予め定められ、予め定められたパターン以外のビット列を有する信号はノイズとして除去される。ビット列Ｐ１５に示されるように、全てのパルスが存在しているとき、パルス波形の周期（パルス間の間隔）は一定である。図７に示される如く、同期信号５００中、最初に位置するパルス５０１は全てのビット列Ｐ０乃至Ｐ１５に亘って存在している。パルス５０１は、同期信号５００が映像視聴用眼鏡１２０に送信されたことを通知するタイミングパルスとしての役割を担う。他のパルス５０２乃至５０４は、光学フィルタ部１２３の制御内容などを伝送する役割を担う。
【００７０】
例えば、図５に示される左眼フレームの中で最初に送信される同期信号５００が、ビット列Ｐ１を有し、次に送信される同期信号５００が、ビット列Ｐ２を有し、右眼フレームの中で最初に送信される同期信号５００が、ビット列Ｐ３を有し、次に送信される同期信号が、ビット列Ｐ４を有しているものとする。
【００７１】
図８は、ビット列Ｐ１乃至Ｐ４のバイナリデータへの変換の一例を示す。尚、ビット列Ｐ１乃至Ｐ４それぞれを構成する最初のパルス５０１は、ビット列のタイミングを表すタイミングデータとして用いられるものであり、ビット列により定義される各種の制御にかかわらず、常に「１」の値をとるものとされる。同期信号生成部３０４がビット列Ｐ１乃至Ｐ４をそれぞれ備える４つの同期信号５００を送信すると、各同期信号は、外部同期信号受信部４００を介して受信され、同期信号解析部４０２により、バイナリ変換されたビットデータである制御データ５５０にされる。図８に示す如く、異なるビット列を有する同期信号１００からは異なる制御データ５５０が生成される。この制御データ５５０は、同期情報記憶部４０３に記憶される。内部同期信号生成部４０４は、記憶された制御データ５５０に基づき、内部同期信号を生成し、生成された内部同期信号を光学フィルタ制御部４０５に送る。各制御データ５５０に対して、光学フィルタ制御部４０５が実行する制御が予め割り当てられている。図５に示す制御においては、ビット列Ｐ１に対応する制御データ５５０には、左眼用光学フィルタ１２１を開く制御が割り当てられ、ビット列Ｐ２に対応する制御データ５５０には、左眼用光学フィルタ１２１を閉じる制御が割り当てられ、ビット列Ｐ３に対応する制御データ５５０には、右眼用光学フィルタ１２２を開く制御が割り当てられ、ビット列Ｐ２に対応する制御データ５５０には、右眼用光学フィルタ１２２を閉じる制御が割り当てられている。これにより、図５に関連して説明した光学フィルタ部１２３の制御が実行されることとなる。
【００７２】
図９は、同期信号解析部４０２による制御データ５５０の生成工程の一例を説明するフローチャートである。同期信号５００のビット列のうち最初のパルス５０１の立ち上がり縁を検出する（Ｓ１００）。メモリ２２１に格納された時間Ｔを超過しているか否かを判断する（Ｓ１１０）。時間Ｔは、最大のパルス数を有するビット列を構成するパルスのうち最初のパルス５０１の立ち上がり縁が存在する時間から最後のパルス５０５の立下り縁が存在する時間までの時間長さを意味する。最初のパルス５０１を検出した段階では、経過時間は時間Ｔを超過していないので、その後、タイマが起動される（Ｓ１２０）。その後、最初のパルス５０１の立下り縁が検出されると（Ｓ１３０）、タイマにより測定される時間に基づき、パルス幅の確認が行なわれる（Ｓ１４０）。パルス幅が、メモリ２２１に格納されたパルス幅に対する閾値範囲を逸脱すると、エラーパルスとして判断され（Ｓ１８０）、最初の工程Ｓ１００に戻る。工程Ｓ１４０にて確認されたパルス幅が閾値範囲以内である場合には、次の受信パルス５０２の立ち上がり縁の検出工程が実行される（Ｓ１５０）。受信パルス５０２の立ち上がり縁が検出されると、同期信号解析部４０２は、受信ビットをセットする（Ｓ１６０）。図９に示される例では、同期信号解析部４０２は、バイナリデータ「１」を生成する。工程Ｓ１５０において、所定時間、パルスの立ち上がり縁を検出しない場合には、同期信号解析部４０２は、最初のパルス５０１に対応するバイナリデータ「１」を生成するとともに、次のパルス５０２に対して非受信ビットをセットし、バイナリデータ「０」を生成する（Ｓ１７０）。受信ビットがセットされた場合には、工程Ｓ１１０に戻り、時間Ｔを超過しているか否かが確認される。非受信ビットがセットされた場合には、工程Ｓ１００に戻り、３番目以降のパルス５０３，５０４，５０５の立ち上がり縁の検出が実行される。これらの工程を実行し、時間Ｔを超過した場合には、制御データ生成の工程が終了され、次のビット列に対する検出工程が実行されることとなる（Ｓ１９０）。
【００７３】
図１０は、図７に示されるビット列それぞれに対して、光学フィルタ部１２３を開けるタイミングの情報又は光学フィルタ部１２３を閉じるタイミングの情報を割り当てた例を示す。図１０に示す如く、ビット列を含む同期信号５００を用いることで、光学フィルタ部１２３を様々なタイミングで開閉可能となる。図１０に例示される情報が、同期情報記憶部４０３に記憶される。
【００７４】
図１１は、図１０に示される各ビット列のうちビット列Ｐ１及びＰ９を用いた光学フィルタ部１２３の制御の例を示す。図１０に示す如く、ビット列Ｐ１には、ビット列Ｐ１の最初のパルス５０１を受信した後、２００μ秒後に光学フィルタ部１２３を開く制御が割り当てられ、ビット列Ｐ９には、ビット列Ｐ９の最初のパルス５０１を受信した後、フレーム周期の７０％経過後、光学フィルタ部１２３を閉じる制御が割り当てられている。
【００７５】
図１１に示される如く、同期信号生成部３０４は、左眼用フレームの開始タイミングと同期させてビット列Ｐ１を備える同期信号５００を生成する。また、同期信号生成部３０４は、右眼用フレームの開始タイミングと同期させてビット列Ｐ９を備える同期信号５００を生成する。同期信号生成部３０４によって生成された同期信号５００は、送信制御部３０５の制御下で、同期信号送信部３０６から送信される。送信された同期信号５００は、外部同期信号受信部４００を通じて受信され、図９に関連して説明された工程を経て、制御データ５５０を生成するとともに同期情報記憶部４０３に記憶される。同期信号解析部４０２は、左眼用光学フィルタ１２１と右眼用光学フィルタ１２２の開閉のタイミングが同一であると仮定して、ビット列Ｐ１が含む情報に基づき、フレーム開始時から光学フィルタ部１２３を開くまでの時間を解析する。また、同期信号解析部４０２は、ビット列Ｐ９が含む情報に基づき、フレーム開始時から光学フィルタ部１２３を閉じるまでの時間を解析する。同期信号解析部４０２による解析結果は、内部同期信号生成部４０４に伝送される。内部同期信号生成部４０４は、ビット列Ｐ１が含む情報に基づき解析された時間に光学フィルタ部１２３を開き、ビット列Ｐ９が含む情報に基づき解析された時間に光学フィルタ部１２３を閉じる制御のための内部同期信号を生成する。光学フィルタ制御部４０５は、この内部同期信号に基づき、光学フィルタ部１２３を制御する。
【００７６】
図１１に示される実施形態では、各フレームの開始時に１つの同期信号５００が送信されているが、本実施例はこれに限定されるものではなく、フレームの切り替え周期と同一の周期で同期信号５００が送信されるものであればよい。フレームの切り替えの位相と同期信号５００の送信の位相がずれていても、図１１に示される実施形態を実行することは可能である。
【００７７】
図１１に示される実施形態では、フレームの切り替え周期と同期信号の送信周期が一致しているので、映像視聴用眼鏡１２０が同期信号５００を受信するタイミング以外は、内部同期信号生成部を構成するＣＰＵ２２０は、外部同期信号受信部４００、同期信号検出部４０１、同期信号解析部及び／又は同期信号記憶部４０３への電力供給を停止させる処理を実行することが可能となる。これにより、映像視聴用眼鏡１２０の電力消費を抑制することが可能となる。
【００７８】
図１２は、ビット列のパルスに割り当てられた制御の一例を示す。上述の如く、ビット列の最初のパルス５０１は、タイミングパルスとして用いられるので、常に「１」の制御データである。パルス５０２及び５０３は、光学フィルタ部１２３の開閉の制御に割り当てられる。パルス５０４及びパルス５０５は、図６に関連して説明された視差量に関する情報に基づく制御に割り当てられる。パルス５０２及びパルス５０３に対応する制御データ５５０が「０」「０」の値の組み合わせであるとき、光学フィルタ制御部４０５は、左眼用光学フィルタ１２１を開くための制御を実行する。パルス５０２及びパルス５０３に対応する制御データ５５０が「１」「０」の値の組み合わせであるとき、光学フィルタ制御部４０５は、左眼用光学フィルタ１２１を閉じるための制御を実行する。パルス５０２及びパルス５０３に対応する制御データ５５０が「０」「１」の値の組み合わせであるとき、光学フィルタ制御部４０５は、右眼用光学フィルタ１２２を開くための制御を実行する。パルス５０２及びパルス５０３に対応する制御データ５５０が「１」「１」の値の組み合わせであるとき、光学フィルタ制御部４０５は、右眼用光学フィルタ１２２を閉じるための制御を実行する。Ｌ／Ｒ信号分離部３０１によるから伝送された情報に基づき、同期信号生成部３０４は、左右の映像間の視差量の大きさを算出し、算出された大きさに基づき、視差量を４つの大きさに分類している。
【００７９】
図１３は、図１２に関連して説明した視差量に関する情報を含むビット列を有する同期信号５００を用いた制御の一例を示す。図１３に示される最初の左眼用フレームにおいて、ビット列Ｐ１を備える同期信号５００とビット列Ｐ９を備える同期信号５００が送信されている。この同期信号５００に基づき、光学フィルタ制御部４０５は、左眼用光学フィルタ１２１を開閉する。このとき、これら同期信号５００は、視差量が大きいことを示している。次に、右眼用フレームにおいて、ビット列Ｐ６を備える同期信号５００とビット列Ｐ１４を備える同期信号５００が送信されている。この同期信号５００に基づき、光学フィルタ制御部４０５は、右眼用光学フィルタ１２２を開閉する。このとき、これら同期信号５００は、視差量が小さいことを示している。次の左眼用フレームにおいて、ビット列Ｐ３を備える同期信号５００とビット列Ｐ１１を備える同期信号５００が送信されている。ビット列Ｐ３とＰ１１の第２パルス５０２と第３パルス５０３の組それぞれは、左眼用光学フィルタを開く制御を指示しているが、第４パルス５０４及び第５パルス５０５の組は、視差量が極大であることを示している。このとき、光学フィルタ制御部４０５は、第４パルス５０４及び第５パルス５０５の組の情報に基づく制御を第２パルス５０２と第３パルス５０３の組の指示に基づく制御に対して優先し、左眼用光学フィルタ１２１及び右眼用光学フィルタ１２２をともに開く制御を実行する。これにより、視聴者が認識する映像は、３次元立体映像から２次元平面映像に切り替わり、映像中の物の過度の飛び出しを抑止することができる。尚、映像視聴用眼鏡１２０が視差量に対する切り替えスイッチを備え、視聴者がスイッチを操作することにより、３次元立体映像から２次元平面映像に切り替えるための閾値を、図１２に示される「視差量小」と「視差量大」の間、「視差量大」と「視差量極大」の間に所望に応じて変更することができることが好ましい。
【００８０】
図１４は、他の映像システム１の形態を示す。図１４に示される映像システム１は、１つの映像表示装置１００と、複数の映像視聴用眼鏡１２０Ａ、１２０Ｂとを備える。尚、図１４には、２つの映像視聴用眼鏡１２０Ａ、１２０Ｂが示されているが、３以上の映像視聴用眼鏡１２０を用いることも可能である。
【００８１】
図１５は、映像視聴用眼鏡１２０Ａ、１２０Ｂにそれぞれ用意された同期信号５００の種類を示す。ビット列Ｐ１、Ｐ９、Ｐ３及びＰ１１を備える同期信号５００それぞれは、映像視聴用眼鏡１２０Ａを制御するために用意された同期信号である。ビット列Ｐ２、Ｐ１０、Ｐ４及びＰ１２を備える同期信号５００それぞれは、映像視聴用眼鏡１２０Ｂを制御するために用意された同期信号である。ビット列Ｐ１、Ｐ９、Ｐ３及びＰ１１を備える同期信号５００それぞれは、ビット列Ｐ１、Ｐ９、Ｐ３及びＰ１１それぞれを構成するパルスのうち最初のパルスを検出したときから映像用視聴眼鏡１２０Ａを動作させる制御を割り当てられている。ビット列Ｐ２、Ｐ１０、Ｐ４及びＰ１２を備える同期信号５００それぞれは、ビット列Ｐ２、Ｐ１０、Ｐ４及びＰ１２それぞれを構成するパルスのうち最初のパルスを検出してから所定時間経過した後に、映像用視聴眼鏡１２０Ｂを動作させる制御を割り当てられている。
【００８２】
ビット列Ｐ１、Ｐ２を有する同期信号５００それぞれは、映像視聴用眼鏡１２０Ａ、１２０Ｂの左眼用光学フィルタ１２１を開く制御を行なうために用いられる。ビット列Ｐ９、Ｐ１０を有する同期信号５００それぞれは、映像視聴用眼鏡１２０Ａ、１２０Ｂの左眼用光学フィルタ１２１を閉じる制御を行なうために用いられる。ビット列Ｐ３、Ｐ４を有する同期信号５００それぞれは、映像視聴用眼鏡１２０Ａ、１２０Ｂの右眼用光学フィルタ１２２を開く制御を行なうために用いられ、ビット列Ｐ１１、Ｐ１２を有する同期信号５００それぞれは、映像視聴用眼鏡１２０Ａ、１２０Ｂの右眼用光学フィルタ１２２を閉じる制御を行なうために用いられる。
【００８３】
図１６は、図１４に示される映像システム１の制御の一例を示す。図１６（Ａ）は、映像視聴用眼鏡１２０Ａに対する制御を示し、図１６（Ｂ）は映像視聴用眼鏡１２０Ｂに対する制御を示す。映像表示装置１００の同期信号生成部３０４は左眼用の映像が表示される前にビット列Ｐ２を含む同期信号５００を生成し、映像視聴用眼鏡１２０Ｂの外部同期信号受信部４００に送る。その後、左眼用の映像が表示されると同時にビット列Ｐ１を含む同期信号５００を生成し、映像視聴用眼鏡１２０Ａの外部同期信号受信部４００に送る。ビット列Ｐ２に含まれる同期信号５００において設定されている制御遅れ時間Ｄ（ビット列Ｐ２、Ｐ１０、Ｐ４及びＰ１２それぞれを構成するパルスのうち最初のパルスを検出してから左眼用光学フィルタ１２１及び／又は右眼用光学フィルタ１２２が動作するまでの時間）に等しい時間間隔を、ビット列Ｐ２を含む同期信号５００の生成とビット列Ｐ１を含む同期信号５００の生成との間に設けることにより、映像視聴用眼鏡１２０Ａを装着する視聴者及び映像視聴用眼鏡１２０Ｂを装着する視聴者がともに映像表示装置１００が表示する左眼用の映像を、左眼用光学フィルタ１２１を通じて見ることが可能となる。同様に、互いに同じ制御を司るビット列の組（Ｐ９、Ｐ１０）、（Ｐ３、Ｐ４）、（Ｐ１１、Ｐ１２）間において、時間Ｄだけ生成時間に差異を設けることで、映像視聴用眼鏡１２０Ａ，１２０Ｂの動作を同期させることが可能となる。尚、本実施形態では、映像視聴用眼鏡１２０Ａの光学フィルタ部１２３の開閉動作と映像視聴用眼鏡１２０Ｂの光学フィルタ部１２３の開閉動作がいずれも同期信号５００に指定されているが、本発明は、この条件に限定されるものではない。すなわち、映像視聴用眼鏡１２０Ａに対する同期信号は、特性のプロトコルに沿ったものである必要はなく、例えば、映像視聴用眼鏡１２０Ａが、既存の眼鏡であった場合、既存の３Ｄ眼鏡は、フレーム切り替わりのタイミングで伝送信号を受信する。それに対して、映像視聴用眼鏡１２０Ｂに対する同期信号５００は、同期信号の送信タイミングをずらしているので、映像視聴用眼鏡１２０Ａへの同期信号５００との干渉を避けることができる。その結果、既存の３Ｄメガネを共存させて視聴することが可能になる。
【００８４】
図１７は、他の映像システム１の形態を示す。図１７に示される映像システム１は、複数の映像表示装置１００Ａ、１００Ｂと、１つの映像視聴用眼鏡１２０とを備える。尚、図１７には、２つの映像表示装置１００Ａ、１００Ｂが示されているが、３以上の映像表示装置１００を用いることも可能である。
【００８５】
図１８は、映像表示装置１００Ａ、１００Ｂにそれぞれ用意された同期信号５００の種類を示す。ビット列Ｐ１、Ｐ９、Ｐ３及びＰ１１を備える同期信号５００それぞれは、映像表示装置１００Ａから送信される同期信号である。ビット列Ｐ２、Ｐ１０、Ｐ４及びＰ１２を備える同期信号５００それぞれは、映像表示装置１００Ｂから送信される同期信号である。尚、これらのビット列の組は、映像表示装置１００Ａ、１００Ｂに組み込まれたメニュー選択プログラムを介して、適宜設定されることができる。
【００８６】
ビット列Ｐ１、Ｐ２を有する同期信号５００それぞれは、映像視聴用眼鏡１２０の左眼用光学フィルタ１２１を開く制御を行なうために用いられる。ビット列Ｐ９、Ｐ１０を有する同期信号５００それぞれは、映像視聴用眼鏡１２０の左眼用光学フィルタ１２１を閉じる制御を行なうために用いられる。ビット列Ｐ３、Ｐ４を有する同期信号５００それぞれは、映像視聴用眼鏡１２０の右眼用光学フィルタ１２２を開く制御を行なうために用いられる。ビット列Ｐ１１、Ｐ１２を有する同期信号５００それぞれは、映像視聴用眼鏡１２０の右眼用光学フィルタ１２２を閉じる制御を行なうために用いられる。
【００８７】
図１９は、図１７に示される映像システム１の制御の一例を示す。図１９（Ａ）は、映像表示装置１００Ａに対する制御を示し、図１９（Ｂ）は映像表示装置１００Ｂに対する制御を示す。図１９中、符号６００で示される矩形領域は、映像表示装置１００Ａ、１００Ｂから送信される複数の同期信号５００から構成される同期信号群を意味する。映像表示装置１００Ａから送信される各同期信号群６００には、ビット列Ｐ１、Ｐ９、Ｐ３及びＰ１１を備える同期信号５００が含まれる。映像表示装置１００Ｂから送信される各同期信号群６００には、ビット列Ｐ２、Ｐ１０、Ｐ４及びＰ１２を備える同期信号５００が含まれる。
【００８８】
映像表示装置１００Ａ，１００Ｂそれぞれの同期信号生成部３０４は、映像のフレームに対応して同期信号５００を生成する。映像表示装置１００Ａ，１００Ｂそれぞれの送信制御部３０５は、同期信号送信部３０６に、所定数の同期信号５００（図１９に示す例では、４つの同期信号５００）を送信させた後、同期信号５００の送信を所定期間停止させる。これにより、同期信号群６００が形成されることとなる。所定期間経過後、送信制御部３０５は、同様の手順で、同期信号送信部３０６に同期信号５００の送信並びに停止を繰り返させる。同期信号５００が送信されない期間中、映像視聴用眼鏡１２０の内部同期信号生成部４０４は、以前に送信された同期信号５００に基づき、内部同期信号を生成する。光学フィルタ制御部４０５は、この内部同期信号に基づき光学フィルタ部１２３を制御する。
【００８９】
図１９は、送信制御部３０５が同期信号送信部３０６に一定周期の間欠式の同期信号群６００の送信を実行させていることを示している。図１９（Ａ）及び図１９（Ｂ）を参照すると、映像表示装置１００Ａ、１００Ｂ間で、同期信号群６００の送信周期が異なっていることが分かる。これにより、映像表示装置１００Ａ、１００Ｂそれぞれの赤外線発光素子２０７の発光が重なる確率の低減を図ることができ、映像表示装置１００Ａ，１００Ｂ間の同期信号５００の混信の回避が促されることとなる。
【００９０】
映像視聴用眼鏡１２０は、映像表示装置１００Ａ、１００Ｂのうちいずれか一方の同期信号５００のみを受信するためのスイッチを備える。視聴者がスイッチを操作することにより、同期信号解析部４０２は、同期信号記憶部４０３に、選択された同期信号５００のみを記録することとなり、映像表示装置１００Ａ、１００Ｂのうちいずれか一方の映像のフレームに合わせた動作を光学フィルタ部１２３にさせることが可能となる。
【００９１】
図２０は、同期信号解析部４０２に送られた同期信号５００の一例を示す。図２０において、１周期として示されている期間は、１フレームの左眼用の映像の表示期間と１フレームの右眼用の映像の表示期間を加算した時間長さである。図２０中、各周期に亘って複数のパルスからなるパルス列が示されているが、パルス列の中に上記のビット列に加えてノイズのパルスが含まれている。図２０に示されるビット列は、最初のビットパルスの立ち上がり縁から、図９に関連して説明した時間Ｔを経過した時点で区分されるパルスの集団を意味する。尚、図２０に示される例において、同期信号生成部３０４が左眼用の映像を映し出す各フレームの開始時から各同期信号５００を生成するまでの時間は、左眼用の各フレーム間で一定である。また、同期信号生成部３０４が右眼用の映像を映し出す各フレームの開始時から各同期信号５００を生成するまでの時間は、右眼用の各フレーム間で一定である。各周期において、同期信号生成部３０４は、同一の同期信号群６００を生成している。
【００９２】
図２１は、図２０に示されるノイズを含むパルス列から同期信号生成部３０４が真に生成しているビット列を検出するための方法を説明するフローチャートである。まず、最初のパルスを受信する（Ｓ３００）。その後、パルスの受信が１つのビット列について続けられる（Ｓ３１０）。１つのビット列についてのパルスの受信が完了すると、ビット列の制御データ５５０が生成される（Ｓ３２０）。また、この工程Ｓ３２０において、制御データ５５０とともに周期開始時（又は、各フレーム開始時）から各ビット列が受信されるまでの時間に関する情報も併せてメモリ２２１（同期情報記憶部４０３）に保存される。制御データ５５０の生成については、図９に関連して説明した手法を採用することができる。工程Ｓ３００から工程Ｓ３２０が１周期分実行される（Ｓ３３０）。上記工程が複数周期分実行され、複数の制御データ５５０が同期情報記憶部４０３に保存される。その後、ビット列抽出工程が実行される（Ｓ３４０）。
【００９３】
図２２は、ビット列抽出工程Ｓ３４０の概念図である。尚、同期信号生成部３０４は、ビット列Ｐ８、Ｐ１２，Ｐ１４及びＰ１５を含む同期信号５００のみを生成するものとする。周期開始時からの時間ｔ１に位置するビット列から得られた４つの制御データ５５０は全てビット列Ｐ８に相当するので、同期信号解析部４０２は、時間ｔ１に位置するビット列をビット列Ｐ８として抽出する。時間ｔ２に位置するビット列から得られた４つの制御データ５５０のうち３つの制御データ５５０は、ビット列Ｐ１２に相当し、１つの制御データ５５０は、同期信号生成部３０４が生成しないビット列Ｐ６である。したがって、ビット列Ｐ６に相当する制御データ５５０は、ノイズデータとして排除され、代わりに、同期信号解析部４０２は、最も頻度の高い制御データ５５０を選択し、時間ｔ２位置するビット列をビット列Ｐ１２として抽出する。尚、抽出のための閾値は、例えば、通信系のＳ／Ｎ比等により、適宜設定される。
【００９４】
時間ｔ３に位置するビット列から得られた４つの制御データ５５０は全てビット列Ｐ１４に相当するので、同期信号解析部４０２は、時間ｔ３に位置するビット列をビット列Ｐ１４として抽出する。時間ｔ４に位置するビット列から得られた制御データ５５０は１つしか存在しない。図２２に示される制御では、同一時間に３以上の同一の制御データ５５０を同期信号解析部４０２が認識しない場合には、該当制御データ５５０がノイズデータとして除去される。したがって、同期信号解析部４０２は、時間ｔ４に位置するビット列を無視する判断をする。時間ｔ５に位置するビット列から得られた４つの制御データ５５０は全てビット列Ｐ１５に相当するので、同期信号解析部４０２は、時間ｔ５に位置するビット列をビット列Ｐ１５として抽出する。
【００９５】
図２３は、図２２に示されるビット列抽出工程Ｓ３４０を経て得られたビット列に基づく光学フィルタ部１２３に対する制御の一例を示す。ビット列Ｐ８には、左眼用光学フィルタ１２１を開く制御が予め割り当てられている。ビット列Ｐ１２には、左眼用光学フィルタ１２１を閉じる制御が予め割り当てられている。ビット列Ｐ１４には、右眼用光学フィルタ１２２を開く制御が予め割り当てられている。ビット列Ｐ１５には、右眼用光学フィルタ１２２を閉じる制御が予め割り当てられている。同期信号解析部４０２は、ビット列抽出工程Ｓ３４０を介して抽出されたビット列を同期情報記憶部４０３に記憶させる。同期情報記憶部４０３に記憶されたビット列に基づき、内部同期信号生成部４０４が内部同期信号を生成する。この内部同期信号に基づき、光学フィルタ制御部４０５が光学フィルタ部１２３をノイズの影響を受けることなく制御することが可能となる。
【００９６】
図２０乃至図２３に関連して説明されたノイズ除去の手法は、光学フィルタ部１２３の誤作動を防止することができる。映像表示装置１００と映像視聴用眼鏡との間での通信の安定性を図るための他の手法として、ビット列を構成するパルスのうち最後のパルス５０５をパリティチェック用のパルスとして、使用することができる。この場合、最初のパルス５０１を除く他のパルス５０２、５０３、５０４が映像視聴用眼鏡１２０に情報を伝達する役割を担う。
【００９７】
図７を参照する。パルス５０２，５０３，５０４，５０５の和が「１」となるようにパルス５０５を設定することにより、ビット列はパリティビットとしての役割を担う。最後のパルスがパリティチェック用に用いられる場合、図７に示される一連のビット列において、ビット列Ｐ１、Ｐ２、Ｐ４、Ｐ７、Ｐ１１、Ｐ１３及びＰ１４が同期信号送信部３０６から送信される信号となる。
【産業上の利用可能性】
【００９８】
上記実施形態は、映像表示装置及び映像表示装置が映し出す映像の視聴を補助する映像視聴用眼鏡を備える映像システムに好適に利用可能である。
【符号の説明】
【００９９】
１・・・・・・・・・・映像システム
１００・・・・・・・・映像表示装置
１２０・・・・・・・・映像視聴用眼鏡
１２１・・・・・・・・左眼用光学フィルタ
１２２・・・・・・・・右眼用光学フィルタ
１２３・・・・・・・・光学フィルタ部
３０３・・・・・・・・映像表示部
３０４・・・・・・・・同期信号生成部
３０５・・・・・・・・送信制御部
３０６・・・・・・・・同期信号送信部
４００・・・・・・・・外部同期信号受信部
４０２・・・・・・・・同期信号解析部
４０３・・・・・・・・同期情報記憶部
４０４・・・・・・・・内部同期信号生成部
４０５・・・・・・・・光学フィルタ制御部
５００・・・・・・・・同期信号
５０１・・・・・・・・最初のパルス
５０２・・・・・・・・２番目のパルス
５０３・・・・・・・・３番目のパルス
５０４・・・・・・・・４番目のパルス
５０５・・・・・・・・最後のパルス
５５０・・・・・・・・制御データ
６００・・・・・・・・同期信号群
Ｐ０乃至Ｐ１５・・・・ビット列
【図１】
2011015216.tif 000003
【図２】
2011015216.tif 000004
【図３】
2011015216.tif 000005
【図４】
2011015216.tif 000006
【図５】
2011015216.tif 000007
【図６】
2011015216.tif 000008
【図７】
2011015216.tif 000009
【図８】
2011015216.tif 000010
【図９】
2011015216.tif 000011
【図１０】
2011015216.tif 000012
【図１１】
2011015216.tif 000013
【図１２】
2011015216.tif 000014
【図１３】
2011015216.tif 000015
【図１４】
2011015216.tif 000016
【図１５】
2011015216.tif 000017
【図１６】
2011015216.tif 000018
【図１７】
2011015216.tif 000019
【図１８】
2011015216.tif 000020
【図１９】
2011015216.tif 000021
【図２０】
2011015216.tif 000022
【図２１】
2011015216.tif 000023
【図２２】
2011015216.tif 000024
【図２３】
2011015216.tif 000025